(57)【要約】【課題】機器により利用者を撮影した画像に応じた情報を当該機器の利用者に提供する。【解決手段】情報提供装置２００は、可搬型の機器１００に設けられた撮像部１１により撮影された撮影画像Ｐに、機器１００の利用者の画像と特定の画像とが含まれるか否かを判定する判定部５１と、利用者の画像と特定の画像とが撮影画像Ｐに含まれると判定部５１が判定した場合に、撮影画像Ｐに応じた情報Ｔを利用者に提供する提供部５５とを具備する。【選択図】図１
2018195101.tif 000002
【特許請求の範囲】
【請求項１】
可搬型の機器に設けられた撮像部により撮影された撮影画像に、前記機器の利用者の画像と特定の画像とが含まれるか否かを判定する判定ステップと、
前記利用者の画像と前記特定の画像とが前記撮影画像に含まれると前記判定ステップにおいて判定された場合に、前記撮影画像に応じた情報を前記利用者に提供する提供ステップと
を含む情報提供方法。
【請求項２】
前記特定の画像は、前記機器の画像である
請求項１の情報提供方法。
【請求項３】
前記撮影画像から前記利用者の状態を特定する特定ステップを含み、
前記提供ステップでは、前記利用者の画像と前記特定の画像とが前記撮影画像に含まれると前記判定ステップにおいて判定された場合に、前記特定ステップにおいて特定した前記利用者の状態に応じた情報を前記撮影画像に応じた情報として前記利用者に提供する
請求項１または請求項２の情報提供方法。
【請求項４】
可搬型の機器に設けられた撮像部により撮影された撮影画像に、前記機器の利用者の画像と特定の画像とが含まれるか否かを判定する判定部と、
前記利用者の画像と前記特定の画像とが前記撮影画像に含まれると前記判定部が判定した場合に、前記撮影画像に応じた情報を前記利用者に提供する提供部と
を具備する情報提供装置。
【発明の詳細な説明】
【技術分野】
【０００１】
本発明は、可搬型の機器の利用者に情報を提供する技術に関する。
【背景技術】
【０００２】
可搬型の機器により撮影された被写体に関する情報を提供する技術が従来から提案されている。例えば特許文献１には、利用者が機器を利用して撮影した人物画像に応じた情報を提供する構成が開示されている。
【先行技術文献】
【特許文献】
【０００３】
【特許文献１】特開２００９−１７１１７６号公報
【発明の概要】
【発明が解決しようとする課題】
【０００４】
特許文献１の技術では、撮影された人物画像の人物が内蔵メモリに登録された人物であれば、人物に対応した情報が提供される。しかし、人物画像を撮影する機器の利用者自身の情報を当該利用者に提供したいという要望もある。以上の事情を考慮して、本発明は、機器により利用者を撮影した画像に応じた情報を当該機器の利用者に提供することを目的とする。
【課題を解決するための手段】
【０００５】
以上の課題を解決するために、本発明の好適な態様に係る情報提供方法は、可搬型の機器に設けられた撮像部により撮影された撮影画像に、前記機器の利用者の画像と特定の画像とが含まれるか否かを判定する判定ステップと、前記利用者の画像と前記特定の画像とが前記撮影画像に含まれると前記判定ステップにおいて判定された場合に、前記撮影画像に応じた情報を前記利用者に提供する提供ステップとを含む。
【０００６】
本発明の好適な態様に係る情報提供装置は、可搬型の機器に設けられた撮像部により撮影された撮影画像に、前記機器の利用者の画像と特定の画像とが含まれるか否かを判定する判定部と、前記利用者の画像と前記特定の画像とが前記撮影画像に含まれると前記判定部が判定した場合に、前記撮影画像に応じた情報を前記利用者に提供する提供部とを具備する。
【図面の簡単な説明】
【０００７】
【図１】本発明の実施形態に係る情報提供システムの構成図である。
【図２】本発明の実施形態に係る利用者の状況の説明図である。
【図３】本発明の実施形態に係る撮影画像の説明図である。
【図４】本発明の実施形態に係る情報提供装置の制御部が実行する処理のフローチャートである。
【発明を実施するための形態】
【０００８】
図１は、本発明の実施形態における情報提供システム１の構成図である。情報提供システム１は、可搬型の機器（以下「可搬機器」という）１００の利用者Ｕに情報を提供するためのコンピュータシステムである。具体的には、情報提供システム１は、可搬機器１００により撮影された画像（以下「撮影画像」という）Ｐに応じた情報（以下「提供情報」という）Ｔを利用者Ｕに提供する。図１に例示される通り、情報提供システム１は、可搬機器１００と情報提供装置２００とを具備する。可搬機器１００と情報提供装置２００とは、移動体通信網またはインターネット等の通信網７０を介して通信可能である。本実施形態では、図２に例示される通り、自身の姿が映るように鏡Ｍの前にいる利用者Ｕを想定する。
【０００９】
本実施形態の可搬機器１００は、利用者Ｕが装着可能な情報端末である。図２に例示される通り、例えば眼鏡型の情報端末が可搬機器１００として好適に利用され得る。具体的には、可搬機器１００は、図１に例示される通り、撮像部１１と通信部１３と放音部１５と装着部１７とを具備する。
【００１０】
撮像部１１は、例えば画像を撮像可能な撮像素子およびレンズを含んで構成され、利用者Ｕからの指示により撮影画像Ｐを撮影する。通信部１３は、通信網７０を介して情報提供装置２００と通信する通信機器である。通信部１３と通信網７０との間における通信は、無線が好適であるが、有線とすることも可能である。具体的には、通信部１３は、撮像部１１が撮影した撮影画像Ｐを情報提供装置２００に送信し、当該撮影画像Ｐに応じた提供情報Ｔを情報提供装置２００ から受信する。放音部１５は、情報提供装置２００から送信された提供情報Ｔに応じた音を再生する。図２に例示される通り、利用者Ｕの耳に装着されるイヤホン（インナーイヤー型，カナル型またはオーバーヘッド型）が放音部１５として好適に利用される。
【００１１】
図１の装着部１７は、利用者Ｕの身体（実施形態では頭部）に装着可能な器具である。例えば眼鏡が装着部１７として好適に利用される。撮像部１１と通信部１３と放音部１５とは装着部１７に設置される。図２に例示される通り、撮像部１１は、レンズの光軸が利用者Ｕの前方を向くように装着部１７のフロント（前枠）の上部に搭載され得る。つまり、撮像部１１は、利用者Ｕの視点を含む撮影画像Ｐを撮影することが可能である。なお、装着部１７に対する撮像部１１の搭載位置は任意である。例えば、装着部１７のテンプル（つる）に撮像部１１を装着することも可能である。通信部１３は、装着部１７の任意の場所に搭載される。放音部１５は、装着部１７から延出するコードの端部に設置される。図２に例示される通り、利用者Ｕは装着部１７を耳にかけることで可搬機器１００を装着することが可能である。
【００１２】
可搬機器１００を装着した状態で鏡Ｍの前にいる利用者Ｕは、鏡Ｍに映る自身の姿を見ている（つまり利用者Ｕの視点が鏡Ｍにある）ことが想定される。したがって、撮影部により撮影された撮影画像Ｐには、図３に例示される通り、鏡Ｍに映る利用者Ｕの画像が含まれ得る。撮影部により撮影された撮影画像Ｐは、通信部１３により情報提供装置２００に送信される。
【００１３】
図１の情報提供装置２００は、図１に例示される通り、通信部２１と記憶部２３と制御部２５とを具備し、撮影画像Ｐに応じた提供情報Ｔを利用者Ｕに提供する。例えば通信網７０を介して可搬機器１００と通信可能なウェブサーバが情報提供装置２００として好適に採用され得る。なお、情報提供装置２００は、単体の装置として実現されるほか、相互に別体で構成された複数の装置の集合でも実現される。通信部２１は、通信網７０を介して可搬機器１００と通信する通信機器である。本実施形態の通信部２１は、可搬機器１００から送信された撮影画像Ｐを受信し、当該撮影画像Ｐに応じた提供情報Ｔを制御部２５の指示により可搬機器１００に送信する。
【００１４】
記憶部２３は、制御部２５が実行するプログラムと制御部２５が使用する各種のデータとを記憶する。例えば半導体記録媒体または磁気記録媒体等の公知の記録媒体が記憶部２３として採用され得る。具体的には、記憶部２３は、参照画像Ａと参照画像Ｂと状態テーブルとを記憶する。参照画像Ａは、利用者Ｕの顔の画像（以下「顔画像」という）である。参照画像Ｂは、可搬機器１００の画像である。参照画像Ａおよび参照画像Ｂは、事前に撮影され記憶部２３に記憶される。
【００１５】
状態テーブルは、図１に例示される通り、撮影画像Ｐの被写体の状態を表す情報（以下「状態情報」という）と提供情報Ｔとが対応付けて登録されたデータテーブルである。本実施形態の状態情報は、利用者Ｕの状態を示す。本実施形態では、利用者Ｕの表情（例えば「喜び」，「怒り」または「悲しみ」等の感情）を利用者Ｕの状態として例示する。本実施形態の提供情報Ｔは、状態情報に対応した文字列（例えば状態情報が示す状態に関する感想）を発音した音声を表す音信号である。例えば状態情報「喜び」に対応付けて、文字列「かわいいね」を発話した音声を表す音信号を示す提供情報Ｔが状態テーブルに登録される。
【００１６】
制御部２５は、例えばＣＰＵ（Central Processing Unit）等の演算処理回路で構成され、情報提供装置２００の各要素を統括的に制御する。具体的には、制御部２５は、記憶部２３に記憶されたプログラムを実行することで、撮影画像Ｐに応じた提供情報Ｔを利用者Ｕに提供するための複数の機能（判定部５１，特定部５３および提供部５５）を実現する。なお、制御部２５の一部の機能を専用の電子回路で実現した構成、または、制御部２５の機能を複数の装置に分散した構成も採用され得る。
【００１７】
判定部５１は、通信部２１が受信した撮影画像Ｐに、可搬機器１００の利用者Ｕの画像と特定の画像とが含まれるか否かを判定する。本実施形態では、利用者Ｕの画像として利用者Ｕの顔画像を例示し、特定の画像として可搬機器１００の画像を例示する。つまり、撮影画像Ｐに顔画像および可搬機器１００の画像の双方が含まれるか否かが判定される。利用者Ｕの顔画像が撮影画像Ｐに含まれるか否かの判定（つまり本人認識）には、記憶部２３に記憶された参照画像Ａを利用した公知の画像解析技術が任意に採用される。例えば、撮影画像Ｐから顔検出処理により検出した顔画像の特徴量と参照画像Ａに含まれる利用者Ｕの顔画像の特徴量とが近似する場合は、撮影画像Ｐに利用者Ｕの顔画像が含まれると判定される。なお、撮影画像Ｐから顔画像が検出できない場合、または、撮影画像Ｐから検出した顔画像の特徴量と参照画像Ａの顔画像の特徴量とが乖離する場合は、撮影画像Ｐに利用者Ｕの顔画像が含まれないと判定される。つまり、参照画像Ａは、撮影画像Ｐに利用者Ｕの画像が含まれるか否かを判定するために、撮影画像Ｐと対比される画像である。可搬機器１００の画像が撮影画像Ｐに含まれるか否かの判定についても、記憶部２３に記憶された参照画像Ｂを利用した公知の画像解析技術が任意に採用される。つまり、参照画像Ｂは、撮影画像Ｐに可搬機器１００の画像が含まれるか否かを判定するために、撮影画像Ｐと対比される画像である。
【００１８】
特定部５３は、撮影画像Ｐから利用者Ｕの状態を特定する。具体的には、特定部５３は、撮影画像Ｐを解析することで、利用者Ｕの状態を示す状態情報を生成する。本実施形態の特定部５３は、利用者Ｕの表情（具体的には顔の表情）を利用者Ｕの状態として撮影画像Ｐから特定する。例えば、「喜び」，「怒り」または「悲しみ」等の感情が利用者Ｕの表情として特定され得る。撮影画像Ｐから利用者Ｕの表情を特定する処理には、公知の表情認識技術が採用され得る。例えば、複数の表情毎に予め用意された特徴量のうち、撮影画像Ｐに含まれる顔画像の特徴量に最も近似する特徴量の表情が特定される。特定部５３は、例えば、撮影画像Ｐから利用者Ｕの状態が「喜び」であると特定した場合は、「喜び」を示す状態情報を生成する。なお、参照画像Ａの顔画像と撮影画像Ｐから検出された顔画像とを対比することで利用者Ｕの表情を特定すること、または、利用者Ｕの笑顔度を算定することで利用者Ｕの表情を特定することも可能である。
【００１９】
提供部５５は、撮影画像Ｐに応じた提供情報Ｔを利用者Ｕに提供する。本実施形態の提供部５５は、利用者Ｕの顔画像と可搬機器１００の画像とが含まれると判定部５１により判定された場合に、撮影画像Ｐに応じた提供情報Ｔを利用者Ｕに提供する。本実施形態では、特定部５３が特定した利用者Ｕの状態（つまり状態情報）に応じた情報を提供情報Ｔとして例示する。具体的には、提供部５５は、特定部５３が生成した状態情報に対応する提供情報Ｔを状態テーブルから特定し、特定した提供情報Ｔを可搬機器１００に送信することを通信部２１に指示する。例えば、特定部５３が生成した状態情報「喜び」の場合、文字列「かわいいね」を発話した音声を表す音信号が提供情報Ｔとして特定される。通信部２１は、提供部５５が特定した提供情報Ｔを可搬機器１００に送信する。
【００２０】
可搬機器１００の通信部１３は、情報提供装置２００から受信した提供情報Ｔを放音部１５に供給する。放音部１５は、通信部１３から供給された提供情報Ｔが示す音信号が表す音声を放音する。なお、通信部１３から放音部１５への音信号の供給は、無線通信により行うことも可能である。以上の説明から理解される通り、可搬機器１００を装着した利用者Ｕが喜びの表情で鏡Ｍの前にいる場合、音声「かわいいね」が放音により利用者Ｕに提供される。
【００２１】
図４は、情報提供装置２００の制御部２５が実行する処理のフローチャートである。撮影画像Ｐの受信を契機として、図４の処理が実行される。図４の処理が開始されると、判定部５１は、可搬機器１００の利用者Ｕの顔画像と可搬機器１００の画像とが撮影画像Ｐに含まれるか否かを判定する（Ｓ1）。利用者Ｕの顔画像と可搬機器１００の画像との双方が撮影画像Ｐに含まれると判定された場合（Ｓ1：YES）、特定部５３は、利用者Ｕの状態を特定する（Ｓ2）。具体的には、特定部５３は、撮影画像Ｐを解析することで、利用者Ｕの状態を示す状態情報を生成する。提供部５５は、撮影画像Ｐに応じた提供情報Ｔを特定する（Ｓ3）。具体的には、提供部５５は、特定部５３が生成した状態情報に対応する提供情報Ｔを状態テーブルから特定する。提供部５５は、特定した提供情報Ｔを可搬機器１００に送信することを通信部２１に指示する（Ｓ4）。ステップＳ3およびステップＳ4の処理は、撮影画像Ｐに応じた提供情報Ｔを利用者Ｕに提供する処理である。利用者Ｕの顔画像と可搬機器１００の画像との一方または双方が撮影画像Ｐに含まれないと判定された場合（Ｓ1：NO）、図４の処理を終了する。なお、ステップＳ1とステップＳ2との処理の先後は不問である。つまり、可搬機器１００の利用者Ｕの顔画像と可搬機器１００の画像とが撮影画像Ｐに含まれるか否かに関わらず、利用者Ｕの状態を特定することも可能である。
【００２２】
以上の説明から理解される通り、本実施形態では、可搬機器１００に設けられた撮像部１１により撮影された撮影画像Ｐに可搬機器１００の利用者Ｕの画像が含まれる場合に、撮影画像Ｐに応じた提供情報Ｔを利用者Ｕに提供することができる。また、撮像部１１により撮影された撮影画像Ｐに、可搬機器１００の利用者Ｕの顔画像と可搬機器１００の画像とが含まれる場合に、撮影画像Ｐに応じた提供情報Ｔが利用者Ｕに提供される。ここで、例えば提供情報Ｔの提供において撮影画像Ｐにおける利用者Ｕの画像の有無のみが加味される構成（つまり撮影画像Ｐにおける特定の画像の有無は加味されない構成）では、利用者Ｕが特定の状況にあるか否かに関わらず情報が提供される。それに対して、本実施形態では、撮影画像Ｐに利用者Ｕの画像と特定の画像（利用者Ｕに装着される可搬機器１００の画像）とが含まれる場合に撮影画像Ｐに応じた提供情報Ｔが利用者Ｕに提供されるので、撮像画像に映る利用者Ｕが特定の状況下にいると想定される場合に、撮影画像Ｐに応じた情報が提供される。本実施形態において利用者Ｕの特定の状況とは、可搬機器１００を装着して鏡の前にいる状況である。
【００２３】
＜変形例＞
以上に例示した形態は多様に変形され得る。前述の形態に適用され得る具体的な変形の態様を以下に例示する。以下の例示から任意に選択された２以上の態様は、相互に矛盾しない範囲で適宜に併合され得る。
【００２４】
（１）前述の形態では、撮影画像Ｐに利用者Ｕの画像と特定の画像とが含まれるか否かの判定において、利用者Ｕの画像として利用者Ｕの顔画像を例示し、特定の画像として可搬機器１００の画像を例示したが、利用者Ｕの画像および特定の画像は以上の例示に限定されない。例えば利用者Ｕの顔の一部（例えば目または鼻）の画像または利用者Ｕの顔以外の画像（例えば掌）を利用者Ｕの画像とすることも可能である。特定の画像としては、利用者Ｕの画像以外の画像が好適である。例えば、利用者Ｕが可搬機器１００を装着して鏡Ｍの前にいる状況が想定される場合に提供情報Ｔを提供するという観点からは、例えば特定のマーク（例えば○または△）の画像または鏡の縁の画像を特定の画像とする構成も採用され得る。事前に鏡にマークをつけておくことで、利用者Ｕの画像とマークの画像とを含む撮影画像Ｐを撮影することが可能である。したがって、マークが付された鏡の前に利用者Ｕがいる場合に限定して、提供情報Ｔを利用者Ｕに提供することが可能である。なお、利用者Ｕが鏡に映るように自身の手を使ってマーク（例えばピースサイン）を作って、利用者Ｕの画像とマークの画像とを含む撮影画像Ｐを撮影することも可能である。
【００２５】
（２）前述の形態では、利用者Ｕの表情を利用者Ｕの状態として例示したが、利用者Ｕの外観から特定できる情報であれば利用者Ｕの状態の種類は任意である。例えば、利用者Ｕの髪型または化粧を利用者Ｕの状態とすることも可能である。以上の構成では、撮影画像Ｐから特定される顔画像の化粧（例えば顔画像の色成分）または髪型を解析することで、利用者Ｕの状態を示す状態情報を生成する。例えば顔画像の化粧の解析により生成される状態情報「ナチュラルメイク」が生成され、顔画像の髪型の解析により状態情報「ショートヘア」が生成され得る。状態情報「ナチュラルメイク」または状態情報「ショートヘア」に応じた提供情報Ｔが利用者Ｕに提供される。または、利用者Ｕの着衣（例えば柄または色）を利用者Ｕの状態とすることも可能である。以上の構成では、撮影画像Ｐから特定される利用者Ｕの着衣を解析することで、例えば利用者Ｕの状態を示す状態情報「ストライプ柄」が生成され、状態情報「ストライプ柄」に応じた提供情報Ｔが利用者Ｕに提供される。以上の説明から理解される通り、利用者Ｕの外観から特定できる各種情報が利用者Ｕの状態として採用され得る。なお、利用者Ｕの外観から特定できる２以上の情報（例えば髪型および化粧）を組み合わせて状態情報を生成することも可能である。
【００２６】
（３）前述の形態では、特定部５３が特定した利用者Ｕの状態（つまり状態情報）に応じた情報を提供情報Ｔとして利用者Ｕに提供したが、利用者Ｕに提供する提供情報Ｔは利用者Ｕの状態に応じた情報に限定されない。例えば、利用者Ｕが鏡Ｍの前で身体にあてている衣服（例えば柄または色）を撮影画像Ｐから解析することで状態情報を生成すること、または、利用者Ｕがいる空間の壁の模様を撮影画像Ｐから解析することで状態情報を生成することも可能である。つまり、特定部５３により生成される状態情報は、撮影画像Ｐの解析により特定できる情報であれば任意である。以上の説明から理解される通り、利用者Ｕに提供される提供情報Ｔは、撮影画像Ｐに応じた情報として包括的に表現され得る。なお、利用者Ｕの状態に応じた情報を提供情報Ｔとする前述の形態によれば、利用者Ｕの状態に対して適切な情報を提供することが可能である。
【００２７】
（４）前述の形態では、提供情報Ｔを利用者Ｕに提示する放音部１５としてイヤホンを例示したが、放音部１５の種類は以上の例示に限定されない。例えばスピーカも放音部１５として採用され得る。また、通信部１３に接続された表示部に提供情報Ｔを文字列として表示することも可能である。つまり、提供情報Ｔは音声を表す音信号に限定されない。例えば文字列または画像で提供情報Ｔを表現することも可能である。
【００２８】
（５）前述の形態では、状態情報に対応した文字列を発音した音声を表す音信号を提供情報Ｔとする構成を例示したが、提供情報Ｔが示す音信号は音声に限定されない。例えばＢＧＭとして利用される楽曲の演奏音を表わす音信号を提供情報Ｔとする構成も好適に採用される。以上の構成では、例えば撮影画像Ｐから利用者Ｕの着衣の柄または色を特定して、特定した柄または色に応じた楽曲の演奏音を表わす音信号を提供情報Ｔとして利用者Ｕに提供する。
【００２９】
（６）前述の形態では、状態情報と提供情報Ｔとを１対１に対応付けて状態テーブルに登録する構成を例示したが、状態情報と提供情報Ｔとの対応関係は以上の例示に限定されない。例えば、複数の状態情報について１個の提供情報Ｔを対応付けて状態テーブルに登録することも可能である。または、１個の状態情報に対して複数の提供情報Ｔを対応付けて状態テーブルに登録する構成も採用され得る。以上の構成では、複数の提供情報Ｔが利用者Ｕに提供される。
【００３０】
（７）前述の形態では、特定部５３が生成した状態情報に対応する提供情報Ｔを状態テーブルから特定したが、提供情報Ｔの特定において状態情報以外の情報を加味することも可能である。例えば、提供部５５は、特定部５３が生成した状態情報と、利用者Ｕの年代（１０代，２０代…）または性別（男または女）等を示す利用者情報とに応じた提供情報Ｔを状態テーブルから特定する。利用者情報は、事前に記憶部２３に記憶される。例えば同等の内容を表す年代毎に相違する文字列をそれぞれ発音した音声を表す複数の音信号が、共通の状態情報に対応付けられて状態テーブルに登録される。つまり、１個の状態情報に対して複数の年代をそれぞれ表わす提供情報Ｔが対応付けられる。例えば状態情報「喜び」が特定されると、利用者情報が示す年代が１０代の場合は、文字列「かわいいね」を発話した音声を表す音信号が提供情報Ｔとして特定される一方で、利用者情報が示す年代が２０代の場合は、文字列「きれいだね」を発話した音声を表す音信号が提供情報Ｔとして特定される。また、状態テーブルに登録された提供情報Ｔを利用者情報に応じて調整して（例えば音信号が表わす韻律を調整して）利用者Ｕに提供することも可能である。なお、ＳＮＳ（Social Networking Service）のＩＤを情報提供装置２００に事前に登録しておくことで、ＳＮＳに登録された利用者Ｕの個人情報、または、利用者ＵがＳＮＳに書き込みをした内容を提供情報Ｔの特定に加味することも可能である。
【００３１】
（８）前述の形態では、状態テーブルを利用して提供情報Ｔを特定したが、例えば状態情報の特徴量と提供情報Ｔとの関係を表す統計モデルを利用して提供情報Ｔを特定することも可能である。例えばニューラルネットワークまたはベイズ分類等の各種のパターン認識モデルが統計モデルとして好適である。具体的には、提供部５５は、既存の多数の状態情報における特徴量と提供情報Ｔとの間で成立する関係のもとで、統計モデルに付与された特徴量に対して妥当性の高い提供情報Ｔを特定する。
【００３２】
（９）前述の形態では、可搬機器１００の放音部１５を利用して提供情報Ｔを利用者Ｕに提示したが、例えば情報提供装置２００と通信網７０を介して通信可能な端末装置（例えばスマートフォンまたはタブレット）の提示部（放音部または表示部）を利用して提供情報Ｔを利用者Ｕに提示することも可能である。具体的には、可搬機器１００は、撮像部１１により撮影された撮影画像Ｐを情報提供装置２００に送信する。情報提供装置２００は、可搬機器１００から送信された撮影画像Ｐに応じた提供情報Ｔを特定し、当該特定した提供情報Ｔを端末装置に送信する。端末装置は、情報提供装置２００から受信した提供情報Ｔを利用者Ｕに提示する。
【００３３】
（１０）前述の形態では、通信網７０を介して可搬機器１００と通信可能なウェブサーバを情報提供装置２００として例示したが、可搬機器１００と通信網７０または近距離無線通信を介して通信可能な端末装置（例えばスマートフォンまたはタブレット）を情報提供装置２００とする構成も採用され得る。以上の構成では、端末装置の撮像部と提示部とを利用することで、撮影画像Ｐの撮影と提供情報の提示とをすることも可能である。つまり、可搬機器１００と情報提供装置２００とを一体とする構成も採用され得る。
【００３４】
（１１）前述の形態では、利用者Ｕが装着可能な眼鏡型の可搬機器１００を例示したが、可搬機器１００の具体的な形態は任意である。例えば、利用者Ｕの首元に装着可能なネックレス型、または、利用者Ｕの耳介に装着可能なイヤリング型等、任意の形態の可搬機器１００が採用され得る。ただし、利用者Ｕの視点を含む撮影画像Ｐを撮影するという観点からは、眼鏡型の可搬機器１００が好適である。また、情報提供装置２００と通信網７０を介して通信可能な端末装置（例えばスマートフォンまたはタブレット）を可搬機器１００とする構成も採用され得る。以上の構成では、例えば鏡Ｍの前で利用者Ｕが保持する端末装置の撮影部を利用して撮影画像Ｐを撮影する。以上の説明から理解される通り、可搬機器１００は利用者Ｕが装着可能な形態に限定されない。ただし、鏡に映る利用者Ｕを撮影するという観点からは、利用者Ｕが装着可能な可搬機器１００を採用する前述の形態の可搬機器１００が好適である。
【００３５】
（１２）前述の形態に係る情報提供装置２００は、前述の形態の例示の通り、制御部２５とプログラムとの協働で実現される。プログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体を包含し得る。なお、非一過性の記録媒体とは、一過性の伝搬信号（transitory, propagating signal）を除く任意の記録媒体を含み、揮発性の記録媒体を除外するものではない。また、通信網７０を介した配信の形態でプログラムをコンピュータに提供することも可能である。
【００３６】
（１３）本発明は、前述の形態に係る情報提供装置２００の動作方法（情報提供方法）としても特定され得る。具体的には、本発明の好適な態様の情報提供方法は、可搬機器１００に設けられた撮像部１１により撮影された撮影画像Ｐに、可搬機器１００の利用者Ｕの画像と特定の画像とが含まれるか否かを判定する判定ステップと、利用者Ｕの画像と特定の画像とが撮影画像Ｐに含まれると判定ステップにおいて判定された場合に、撮影画像Ｐに応じた提供情報Ｔを利用者Ｕに提供する提供ステップとを含む。
【００３７】
（１４）以上に例示した形態から、例えば以下の構成が把握される。
＜態様１＞
本発明の好適な態様（態様１）に係る情報提供方法は、可搬型の機器に設けられた撮像部により撮影された撮影画像に、前記機器の利用者の画像と特定の画像とが含まれるか否かを判定する判定ステップと、前記利用者の画像と前記特定の画像とが前記撮影画像に含まれると前記判定ステップにおいて判定された場合に、前記撮影画像に応じた情報を前記利用者に提供する提供ステップとを含む。以上の方法によれば、撮像部により撮影された撮影画像に機器の利用者の画像が含まれる場合に、撮影画像に応じた情報を利用者に提供することができる。また、以上の方法では、可搬型の機器に設けられた撮像部により撮影された撮像画像に、可搬型の機器の利用者の画像と特定の画像とが含まれる場合に、撮影画像に応じた情報が利用者に提供される。ここで、例えば撮影画像に利用者の画像が含まれる場合に、撮影画像に応じた情報を利用者に提供する方法では、利用者が特定の状況にあるか否かに関わらず情報が提供される。それに対して、前述の方法によれば、撮影画像に利用者の画像と特定の画像とが含まれる場合に撮影画像に応じた情報が利用者に提供されるので、撮像画像に映る利用者が特定の状況下にいると想定される場合に、撮影画像に応じた情報が提供される。
【００３８】
＜態様２＞
態様１の好適例（態様２）に係る情報提供方法において、特定の画像は、前記機器の画像である。以上の方法では、可搬型の機器に設けられた撮像部により撮影された撮像画像に、可搬型の機器の利用者の画像と可搬型の機器の画像とが含まれる場合に、撮影画像に応じた情報が利用者に提供される。
【００３９】
＜態様３＞
態様１または態様２の好適例（態様３）に係る情報提供方法は、前記撮影画像から前記利用者の状態を特定する特定ステップを含み、前記提供ステップでは、前記利用者の画像と前記特定の画像とが前記撮影画像に含まれると前記判定ステップにおいて判定された場合に、前記特定ステップにおいて特定した前記利用者の状態に応じた情報を前記撮影画像に応じた情報として前記利用者に提供する。以上の方法では、可搬型の機器に設けられた撮像部により撮影された撮影画像に、利用者の画像と特定の画像とが含まれる場合に、撮影画像から特定された利用者の状態に応じた情報が撮影画像に応じた情報として利用者に提供されるから、利用者の状態に対して適切な情報を提供することが可能である。
【００４０】
＜態様４＞
本発明の好適な態様（態様４）に係る情報提供装置は、可搬型の機器に設けられた撮像部により撮影された撮影画像に、前記機器の利用者の画像と特定の画像とが含まれるか否かを判定する判定部と、前記利用者の画像と前記特定の画像とが前記撮影画像に含まれると前記判定部が判定した場合に、前記撮影画像に応じた情報を前記利用者に提供する提供部とを具備する。以上の構成では、可搬型の機器に設けられた撮像部により撮影された撮像画像に、可搬型の機器の利用者の画像と特定の画像とが含まれる場合に、撮影画像に応じた情報が利用者に提供される。ここで、例えば撮影画像に利用者の画像が含まれる場合に、撮影画像に応じた情報を利用者に提供する構成では、利用者が特定の状況にあるか否かに関わらず情報が提供される。それに対して、前述の構成によれば、撮影画像に利用者の画像と特定の画像とが含まれる場合に撮影画像に応じた情報が利用者に提供されるので、撮像画像に映る利用者が特定の状況下にいると想定される場合に、撮影画像に応じた情報が提供される。
【符号の説明】
【００４１】
１……情報提供システム、１００……可搬機器、１１……撮像部、１３……通信部、１５……放音部、１７……装着部、２００……情報提供装置、２１……通信部、２３……記憶部、２５……制御部、５１……判定部、５３……特定部、５５……提供部、７０……通信網。
【図１】
2018195101.tif 000003
【図２】
2018195101.tif 000004
【図３】
2018195101.tif 000005
【図４】
2018195101.tif 000006